(57)【特許請求の範囲】
【請求項１】
座受に支持される座部を交換可能に構成した椅子において、
身体接触面における傾斜角度の異なる複数種類の座部を設けるとともに当該複数種類の座部を取り付けるための取付部を座受に設け、前記複数種類の座部のいずれか一つを選択して当該座部を座受の取付部に取り付け可能に設けたものであり、
回転させることにより前記座受の後方に取り付けられた後部ベースの角度を変更させて座部の後端部分を部分的に押し上げて着座者の坐骨を押し上げるとともに腰骨を押圧できる背もたれ下部フレームを設けたことを特徴とする椅子。
【請求項２】
前記椅子が、更に背もたれ部を有し、座部と背もたれ部とを連動させてロッキングさせる椅子であることを特徴とする請求項１に記載の椅子。
【請求項３】
前記座部が、前記座受に取り付けられる共通のシェルを設けて構成した座部であることを特徴とする請求項１または２に記載の椅子。
【請求項４】
前記取付部が複数種類の座部を取り付けるための共通する取付部であることを特徴とする請求項１乃至３に記載の椅子。
【発明の詳細な説明】
【０００１】
【発明の属する技術分野】
本発明は、椅子の構造に関し、より詳しくは、座部の種類を交換可能に構成した椅子に関するものである。
【０００２】
【従来の技術】
通常、執務用などとして使用される椅子には、着座者の作業効率や疲労緩和を図るために、座部を昇降させる機能、背もたれ部を後傾させる機能などの他、座部を略水平状態から前傾させるようにした機能などを備えている。このような機能の中で、特に座部を略水平状態から前傾させるようにするものとしては、座部の下方にリンク機構を設け、このリンク機構を変形させることによって座部を略水平状態から前傾状態に切り替えるようにしたものである。
【０００３】
【発明が解決しようとする課題】
ところが、このような椅子における座部の下方には、座部を昇降させるための機構や、背もたれ部を後傾させるための機構などを集約して設けており、このような種々の機構を有する座部の下方に、更に座部を前傾させるための機構などを設けると機構が複雑になり、コスト高を招く要因となる。
【０００４】
そこで、本発明は複雑な機構を設けることなく、座部の傾斜態様を容易に変更できるようにした椅子を提供することを目的としたものである。
【０００５】
【課題を解決するための手段】
すなわち、本発明では上記課題を解決するために、身体接触面の傾斜角度が異なる座部を複数種類設けるとともに当該複数種類の座部を取り付けるための取付部を座受に設け、前記複数種類の座部のいずれか一つを選択して当該座部を座受の取付部に取り付け可能に設けたものであり、回転させることにより前記座受の後方に取り付けられた後部ベースの角度を変更させて座部の後端部分を部分的に押し上げて着座者の坐骨を押し上げるとともに腰骨を押圧できる背もたれ下部フレームを設けるようにしたものである。
【０００６】
また、座部と背もたれ部とを連動させてロッキングさせるような椅子に対して、このように傾斜角度の異なる座部を交換できるようにする。そして、このように構成することによって、座部下方の機構を簡素化し、更に、背座連動のロッキングの際に背もたれ部と座部の相対角度を変更して、着座者の着座状態に合わせた角度に対応させる。
【０００７】
更に、このように複数種類の座部を交換できるようにする場合、座受に取り付けられるシェルを共通に設け、このシェルの上面に異なる種類のクッション体を取り付けて構成する。そして、このようにシェルを共通化することによって部品点数を減らして製造コストを低減できるようにする。
【０００８】
また、このように複数種類の座部を取り付ける場合、座部を取り付ける部分を共通化して、座受の構造を簡素化できるようにする。
【０００９】
【発明の実施の形態】
以下、本発明の一実施の形態について図面を参照して説明する。図１および図２は、本発明の一実施の形態を示す椅子１の側面図、正面図を示したものである。
【００１０】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部６を連動させてロッキングさせるロッキング機構Ｑ、ストレッチ等のために背もたれ部５の上方部分のみを後傾させる背もたれ上部傾動機構Ｒ、腰骨を選択的に押圧するため等に利用される背もたれ下部傾動機構Ｓ、並びに、座部６を前後移動させる座前後調整機構Ｔを設けている。そして、このような複数の機構を有する椅子１に、着座者の身体（主に大腿部）接触部分の傾斜角度が異なる複数種類の座部６を取り付けられるようにしている。
【００１１】
具体的に説明すると、ベース脚２は、脚羽根２０の中心から上方に向けて回転軸２１を突出させたもので、その上に支持される座部６および背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１２】
背もたれ部５は、背もたれ下部フレーム５０と、背もたれ上部フレーム５５と、これら両フレーム５０、５５の間に図示しない弾性部材を介して架け渡した張り部材８とを具備してなるもので、両フレーム５０、５５は、ともにリンク要素７ｂの内側部分に設けられた回転軸７２に回転可能に取り付けられている。
【００１３】
座部６は、着座者の大腿部に対応する窪みを有するクッション体６０と、そのクッション体６０の下方を支持するシェル６１とを備えている。シェル６１は、着座者の大腿部を支持する部分を略平面状に構成し、更に、その後部を平面状部分より相対的に柔らかく構成して、後述する座部６のスライド時に座部６の後端部分のせり上がりを許容するようにしている。このシェル６１には、座受４に着脱可能に取り付けることを可能にするために、図５に示すようにその下面に突出部６２ｆ、６２ｂを設けている。
【００１４】
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これにリンク要素７ｂを適宜位置に固定するガススプリング３１を付帯させて構成されている。
【００１５】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００１６】
座受４は、前記座部６のシェル６１を支持すべく、アルミなどの金属部材によって面状に成形されたもので、図４に示すように、その平面部分に前後方向に延びる長孔部４０ｆ、４０ｂを設けており、この長孔部４０ｆ、４０ｂに前記シェル６１の突出部６２ｆ、６２ｂを挿入し、その挿入端側に後述する構造を採用して、上方への離脱を規制し得るようにしている。また、この座受４の後方には、座部６を介して着座者の坐骨近傍を支持させるようにした後部ベース４２を取り付けている。この後部ベース４２は、座受４の後端部分に回転可能に取り付けており、後述する背もたれ下部フレーム５０の傾動に伴ってその角度を変化させるようにしている。そして、この後部ベース４２の左右にも長孔４２ａを設け、座部６の後端部分をスペーサ４２ｂを介してスライド可能にネジ止めすることによって、座部６の後端部分の浮き上がりを防止するようにしている。
【００１７】
このように、座部６の下面側の突出部６２ｆ、６２ｂは、座部６後端側と前端側に設けており、後端側の突出部６２ｂを座受４の後方の長孔部４０ｂに挿入して下方からその突出部６２ｂの中心部分にネジ部材を取り付け、座部６を着脱可能に取り付けて上方への抜けを防止するようにしている。一方、座部６前端側の突出部６２ｆは、その先端部を互いに向かい合うように略Ｌ字状に屈曲させて構成しており、この先端部分を前方の長孔部４０ｆの挿入部４０ｆ１に挿入し、座部６を後方にスライドさせることによってその先端部分を長孔部４０ｆのスリット部分４０ｆ２に引っ掛けて取り付けると共に上方への抜けを防止するようにしている。また、後部ベース４２に対応する座部６の部分には、後部ベース４２に設けた長孔４２ａにスペーサ４２ｂを介してネジ止めするためのネジ止め部６８を設け、このネジ止め部６８に後部ベース４２の後方からネジ部材を取り付けることによって座後方の浮きを防止するとともに、スペーサ４２ｂを介して長孔４２ａ内でスライドできるようにしている。また、このネジ止めなどに際しては、そのネジ部分にカバーなどを設けることなく構成し、これによって、ネジ部材の着脱を直接行なえるようにしている。また、この座受４の左右両側部には、肘桿９を取り付けるための肘桿取付部４４を設けている。
【００１８】
リンク要素７ａは、一端を支基３の前方に回転軸３０を介して回転可能に取り付け、他端を座受４の前方裏面に回転軸４５を介して回転可能に取り付けた板状のものである。
【００１９】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０および背もたれ上部フレーム５５が回転軸７２回りの回転機能を停止させられた状態で一体的に固定され、リンク要素７ｂと共にトーションバー７０の回転軸回りに回転し得るものである。
【００２０】
ガススプリング３１は、リンク要素７ａと支基３との間に設けられたもので、選択的にリンク要素７ａを固定することによって、四辺リンク機構全体をロックするようにしている。
【００２１】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００２２】
ロック機構ｒは、図３に示すように、リンク要素７ｂの上方に設けた孔部７７と、背もたれ上部フレーム５５に取り付けた側面視略ひし形のブラケット５５０に設けた孔部５５１と、通常はこれら両孔部７７、５５１に跨る位置に配置され選択的に前記孔部５５１から引き抜くことによって背もたれ上部フレーム５５とリンク要素７ｂとの拘束を解除するピン７６とから構成されるものである。背もたれ上部フレーム５５の下端部内側に位置するブラケット５５０の内側には、リンク７ｂと一体をなすように同形状のブラケット７ｂ１が設けてあり、これらブラケット５５０、７ｂ１を重ね合わせて、孔部５５１の内側に孔部７７を位置させて、ピン７６を挿入するようにしている。しかして、ピン７６が両孔部７７、５５１に挿入されている状態においてはリンク要素７ｂと背もたれ上部フレーム５５とは拘束されて一体的に動き、また、このピン７６を孔部５５１から引き抜くことによって、上記の拘束を解除して背もたれ上部フレーム５５のみが回転軸７２を中心として独自に回転し得るようにしている。
【００２３】
バネ部材７３は、背もたれ上部フレーム５５に傾動時に弾性を付与するためのもので、リンク要素７ｂの上端下面側に凹部７４を設け、この凹部７４に当該バネ部材７３の一端側を収容して固定するとともに、他端側を背もたれ上部フレーム５５に取り付け、このバネ部材７３によって、背もたれ上部フレーム５５を起立方向に押圧している。
【００２４】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００２５】
また、座前後移動機構Ｔは、前記座受４の長孔４０ｆ，４０ｂと前記シェル６１の突起部６２との係わり合いによる前後動許容構造を前提として、座受４の上面に設けたラック４１と、このラック４１に噛み合うようにシェル６１の下面に設けたピニオン６３と、このピニオン６３の回転を規制するためにシェル６１の下面に設けた規制片６６とを具備している。
【００２６】
ラック４１は、座受４の幅方向中心部から左右方向へ離間した位置に一対に設けてある。ピニオン６３は、座部６の下面側に成形された軸保持部６４によって保持された軸６５の両端部分に形成されている。規制片６６は、ピニオン６３の外周近傍であってピニオン６３に水平方向から選択的に接離して該ピニオン６３に噛み合い、その動きをロックすることができるものである。そして、この規制片６４をレバー６７を操作させることによってピニオン６３の外周部分から進退させてその回転を規制・解除させるようにしている。
【００２７】
しかして、座受４の前方側端部には、以上の諸機構を選択的に活用すべく、レバー４３ａ、４３ｂ、４３ｃが設けてある。レバー４３ａは、座部６を昇降させるためのものであり、レバー４３ｂは背もたれ下部フレーム５０のみを後傾させるものであり、レバー４３ｃは座部６および背もたれ上部フレーム５５、背もたれ下部フレーム５０全体を連動させてロッキングさせるためのものである。
【００２８】
次に、このように構成した椅子１の基本動作について図６から図８を用いて説明する。
＜昇降動作＞
レバー４３ａの非操作時には、ガススプリング２２がロックされ、背座はある昇降位置に固定される。この位置からレバー４３ａを操作すると、ガススプリング３１のロックが解除されるため、背座はガススプリング３１の伸縮動作を伴って所定範囲で昇降動作させることができる。
＜ロッキング動作＞
全てのレバー４３ａ〜４３ｃ、６７を水平にしている状態（初期状態）では、座部６の下方に設けたガススプリング３１がフリーの状態になるとともに、背もたれ下部フレーム５０に連結したガススプリングが固定状態になる。このとき、背もたれ上部フレーム５５に設けた孔部５５１にピン７６が挿入され、リンク要素７ｂと背もたれ上部フレーム５５は一体としてトーションバー７０の回転軸を中心に後傾可能となる。そして、この背もたれ上部フレーム５５の後傾に伴って四辺リンク機構が変形し、かつ座部６も後方下向きに傾斜しながら、ロッキング動作を行う。
【００２９】
一方、所定の後傾角度にした状態でレバー４３ｃを下方に倒した場合、座部６の下方に設けたガススプリング３１が固定されるとともに、背もたれ下部フレーム５０の下方に設けたガススプリングの固定状態を維持して、後傾角度をその状態に維持する。
＜背もたれ上部のみの傾動動作＞
初期状態から水平状態のレバー４３ｃを倒すことにより、座部６の下方に設けたガススプリング３１がロックされて四辺リンク機構の動きが固定され、また、背もたれ下部フレーム５０に連結したガススプリングも固定状態が維持される。そして、背もたれ上部フレーム５５に設けた孔部５５０からピン７６を抜き、これによって座部６および背もたれ下部フレーム５０を固定した状態で背もたれ上部フレーム５５を弾力的に後傾させられるようにする。
＜背もたれ下部のみの傾動動作＞
背もたれ下部フレーム５０のみを後方に位置させる場合、これに対応したレバー４３ｂを操作することにより、背もたれ下部フレーム５０に連結されているガススプリングの固定状態を解除し、これによって背もたれ下部フレーム５０の回転を許容する。そして、所定の位置でレバー４３ｂを元の状態に戻すことによりガススプリングを固定して背もたれ下部フレーム５０をその状態に固定する。
＜座部の前後動作＞
座部６を前後方向にスライドさせる場合、座部６に設けたレバー６７を操作することによって規制片６６をピニオン６３から退避させ、ピニオン６３の自由回転を許容する。そして、これに伴って、座部６を前後方向にスライドさせ、好適な位置でレバー６７を元に戻すことによって規制片６６をピニオン６３に噛み合わせ、ピニオン６３の回転を規制して座部６の前後位置を固定する。
【００３０】
本実施形態は、以上の諸動作を通じて、座部６と背もたれ部５とを連動させてロッキングさせて着座者を通常使用位置から選択的に後傾リラックスさせる態様と、リンク要素７ｂのみを後方に回転させて背もたれ上部フレーム５５のみの後傾させ着座者をリフレッシュさせる態様とを切り替えられるようにしている。また、背もたれ下部フレーム５０のみのを回転させて着座者の坐骨を押し上げるとともに腰骨を押圧できるようにし、更に、座部６のみを前後動させることによって着座位置を任意に変更できるようにしている。勿論、背座を高さ調整することができるのは言うまでもない。
【００３１】
以上のような構成に加えて本実施形態は、座右６の下方の機構を複雑化することなく、この椅子の仕様を通常の用途に適合する椅子とＯＡ業務等の用途に適合する椅子とに容易に拡張できるようにするため、図９に示すように、共通のシェル６１の上面に着座者の身体接触面６９（座部６の中央断面位置を示す）における平均傾斜角度を水平状態から＋１度、−２度に設定した複数種類のクッション体６０ａ、６０ｂを適宜取り付けて、あらかじめ複数種類の座部６ａ、６ｂを設けている。そして、この椅子を通常の用途に適合させたものにする場合、身体接触面６９における平均傾斜角度を水平状態から＋１度に設定したクッション体６０ａを有する座部６ａに選択し、このシェル６１の前方の突出部６２ｆのみを長孔部４０ｆの挿入部４０ｆ１に挿入して、その略Ｌ字状に屈曲させた部分を長孔部４０ｆに引っ掛けた状態で座部６を斜めにして後方にスライドさせる。そして、そのシェル６１の後方に設けた突出部６２ｂを座受の長孔部４０ｂの前端部分に挿入し、座受４の裏側から座部６をスライド可能にネジ止めする。そして、このように前端部および後端部をスライド可能に固定した状態で座部６を後方にスライドさせ、後部ベース４２の長孔４２ａにシェル６１後方のネジ止め部６８を位置決めし、スペーサ４２ｂを介して後部ベース４２の後方からシェル６１をスライド可能にネジ止めする。
【００３２】
一方、この座部６ａをＯＡ業務等の用途に適合する座部６ｂに付け替える場合、前述の手順と逆の手順で座部６ａを取り外して、身体接触面６９における平均傾斜角度を水平状態から−２度に設定したクッション体６０ｂのものに選択し、同様の手順によってこの座部６を付け替えるようにする。
【００３３】
そして、このように座部６や背もたれ部５などの態様を複数の態様に切り替えられるようにしたものにおいて、身体接触面６９における傾斜角度が異なる複数の座部６ａ、６ｂを設け、この座部６ａ、６ｂを付け替えられるように構成することによって座部６（６ａ、６ｂ）の下方の機構を簡素化できるようにしている。また、背もたれ部５と座部６とを連動させてロッキングさせるようなものにおいて、身体接触面６９における傾斜角度が異なる座部を付け替えることによってロッキング時における背もたれ部５と座部６の角度を容易に変更できるようにもしている。
【００３４】
なお、本発明は上記実施の形態に限定されることなく、種々変更することができる。すなわち、上記実施の形態においては、種類の異なるクッション体６０ａ、６０ｂを共通のシェル６１に取り付けて構成するようにしたが、クッション体６０ａ、６０ｂに対応させてシェル６１も変更するようにしても良い。また、本実施形態では、座受４を略水平状に構成するようにしてこの座受４に座部６を取り付けるための長孔４０ｆ、４０ｂを設けるようにしたが、これに限らず、座受を枠体で構成してこの枠体に座部６を取り付けるようにしても良い。
【００３５】
【発明の効果】
本発明では、座受に支持される座部を交換可能に構成した椅子において、身体接触面における傾斜角度の異なる複数種類の座部を設けるとともに当該複数種類の座部を取り付けるための取付部を座受に設け、前記複数種類の座部のいずれか一つを選択して当該座部を座受の取付部に取り付け可能に設けるようにしたので、座部の傾斜角度を変更するための複雑な機構を設ける必要なく座部の傾斜態様を容易に変更することができる。
【図面の簡単な説明】
【図１】本発明の一実施の形態を示す椅子の側面図。
【図２】同形態における椅子の正面図。
【図３】同形態におけるロック機構の概略図。
【図４】同形態における座受の平面図。
【図５】同形態における座部の底面図。
【図６】同形態における昇降動作を示す図。
【図７】同形態におけるロッキング動作を示す図。
【図８】同形態における背もたれ上部および背もたれ下部の傾動動作を示す図。
【図９】同形態における身体接触面の傾斜角度の異なる複数の座部を示す図。
【符号の説明】
１・・・椅子
４・・・座受
６（６ａ、６ｂ）・・・座部
４０ｆ、４０ｂ・・・取付部（長孔）
６１・・・シェル
６９・・・身体接触面
【図１】
0004682460.tif 000002
【図２】
0004682460.tif 000003
【図３】
0004682460.tif 000004
【図４】
0004682460.tif 000005
【図５】
0004682460.tif 000006
【図６】
0004682460.tif 000007
【図７】
0004682460.tif 000008
【図８】
0004682460.tif 000009
【図９】
0004682460.tif 000010